(57)【特許請求の範囲】
【請求項１】
被写体像を撮像する撮像手段と、
光源からの照明光を用いて、画像を投影する投影手段と、
カメラのブレを検出するブレ検出手段と、
カメラのボディの温度情報を取得する温度取得情報取得手段と、
所定時間ごとに前記ブレ検出手段を駆動させる駆動手段と、
前記投影手段による画像の投影時に、前記検出されたブレが所定値以上の場合には、前記光源の照度を制限する照度制御手段と、を備え、
前記駆動手段は、前記温度情報に基づいて前記ブレ検出手段の駆動を制限することを特徴とするカメラ。
【請求項２】
請求項１に記載のカメラにおいて、
前記撮像手段による被写体像の撮像時に、前記光源から照明光が発せられている場合には、前記照度制御手段は、前記光源の照度の制限を禁止することを特徴とするカメラ。
【請求項３】
請求項２に記載のカメラにおいて、
前記温度情報取得手段は、ボディの温度を検出する温度検出手段を含み、
前記駆動手段は、前記検出された温度が所定値以上の場合に前記ブレ検出手段を駆動させることを特徴とするカメラ。
【請求項４】
請求項１に記載のカメラにおいて、
前記温度情報取得手段は、ボディの温度を検出する温度検出手段を含み、
前記照度制御手段は、前記検出された温度が所定値以上の場合に前記光源の照度を制限することを特徴とするカメラ。
【請求項５】
請求項４に記載のカメラにおいて、
前記温度検出手段は、ボディのグリップ近傍の温度を検出することを特徴とするカメラ。
【請求項６】
請求項５に記載のカメラにおいて、
前記温度情報取得手段は、グリップ以外のボディの温度を検出する温度検出手段と、前記検出された温度に基づいてグリップ近傍の温度を推定する温度推定手段とを含み、
前記照度制御手段は、前記推定された温度が所定値以上の場合に前記光源の照度を制限することを特徴とするカメラ。
【請求項７】
請求項６に記載のカメラにおいて、
前記温度検出手段は、前記光源近傍の温度を検出することを特徴とするカメラ。
【請求項８】
請求項1〜７のいずれか一項に記載のカメラにおいて、
前記光源は、ＬＥＤにより構成され、
前記照度制御手段は、前記ＬＥＤへの電流値を下げることにより前記光源の照度を制限することを特徴とするカメラ。
【請求項９】
光源からの照明光を用いて、画像を投影する投影手段と、
ブレを検出するブレ検出手段と、
温度情報を取得する温度取得情報取得手段と、
所定時間ごとに前記ブレ検出手段を駆動させる駆動手段と、
前記投影手段による画像の投影時に、前記検出されたブレが所定値以上の場合には、前記光源の照度を制限する照度制御手段と、を備え、
前記駆動手段は、前記温度情報に基づいて前記ブレ検出手段の駆動を制限することを特徴とするプロジェクタ。
【請求項１０】
被写体像を撮像する撮像手段と、光源からの照明光を用いて、画像を投影する投影手段と、カメラのブレを検出するブレ検出手段とを備えるカメラの前記光源に対する照度制限方法において、
前記投影手段による画像の投影時にカメラのボディの温度を検出し、
前記検出した温度が第１の所定値以上の場合に、前記ブレ検出手段を駆動してカメラのブレを検出し、
前記検出したブレが所定値以上の場合に、前記光源の照度を制限することを特徴とする照度制限方法。
【請求項１１】
請求項１０に記載の照度制限方法において、
前記検出した温度が前記第１の所定値よりも大きい第２の所定値以上の場合に、前記光源の駆動を停止することを特徴とする照度制限方法。
【発明の詳細な説明】
【技術分野】
【０００１】
本発明は、プロジェクタを備えるカメラおよび照度制限方法に関する。
【背景技術】
【０００２】
従来から、ユーザがボディを振り回した時、他の鑑賞者が眩しい思いをすることがないように投影画像の照度を所定時間だけ制御する手持ち式プロジェクタが知られている（たとえば特許文献１）。
【特許文献１】特開２００６−２３４７２号公報
【発明の開示】
【発明が解決しようとする課題】
【０００３】
しかしながら、プロジェクタを手持ちした状態で画像を投影している場合、光源の発熱によりボディが高温になり、ユーザが不快感を抱くという問題がある。
【課題を解決するための手段】
【０００４】
請求項１に記載の発明は、被写体像を撮像する撮像手段と、光源からの照明光を用いて、画像を投影する投影手段と、カメラのブレを検出するブレ検出手段と、カメラのボディの温度情報を取得する温度取得情報取得手段と、所定時間ごとに前記ブレ検出手段を駆動させる駆動手段と、前記投影手段による画像の投影時に、前記検出されたブレが所定値以上の場合には、前記光源の照度を制限する照度制御手段と、を備え、前記駆動手段は、前記温度情報に基づいて前記ブレ検出手段の駆動を制限することを特徴とする。
請求項２に記載の発明は、請求項１に記載のカメラにおいて、前記撮像手段による被写体像の撮像時に、前記光源から照明光が発せられている場合には、前記照度制御手段は、前記光源の照度の制限を禁止することを特徴とする。
請求項３に記載の発明は、請求項２に記載のカメラにおいて、前記温度情報取得手段は、ボディの温度を検出する温度検出手段を含み、前記駆動手段は、前記検出された温度が所定値以上の場合に前記ブレ検出手段を駆動させることを特徴とする。
請求項４に記載の発明は、請求項１に記載のカメラにおいて、前記温度情報取得手段は、ボディの温度を検出する温度検出手段を含み、前記照度制御手段は、前記検出された温度が所定値以上の場合に前記光源の照度を制限することを特徴とする。
請求項５に記載の発明は、請求項４に記載のカメラにおいて、前記温度検出手段は、ボディのグリップ近傍の温度を検出することを特徴とする。
請求項６に記載の発明は、請求項５に記載のカメラにおいて、前記温度情報取得手段は、グリップ以外のボディの温度を検出する温度検出手段と、前記検出された温度に基づいてグリップ近傍の温度を推定する温度推定手段とを含み、前記照度制御手段は、前記推定された温度が所定値以上の場合に前記光源の照度を制限することを特徴とする。
請求項７に記載の発明は、請求項６に記載のカメラにおいて、前記温度検出手段は、前記光源近傍の温度を検出することを特徴とする。
請求項８に記載の発明は、請求項1〜７のいずれか一項に記載のカメラにおいて、前記光源は、ＬＥＤにより構成され、前記照度制御手段は、前記ＬＥＤへの電流値を下げることにより前記光源の照度を制限することを特徴とする。
請求項９に記載の発明は、光源からの照明光を用いて、画像を投影する投影手段と、ブレを検出するブレ検出手段と、温度情報を取得する温度取得情報取得手段と、所定時間ごとに前記ブレ検出手段を駆動させる駆動手段と、前記投影手段による画像の投影時に、前記検出されたブレが所定値以上の場合には、前記光源の照度を制限する照度制御手段と、を備え、前記駆動手段は、前記温度情報に基づいて前記ブレ検出手段の駆動を制限することを特徴とする。
請求項１０に記載の発明は、被写体像を撮像する撮像手段と、光源からの照明光を用いて、画像を投影する投影手段と、カメラのブレを検出するブレ検出手段とを備えるカメラの前記光源に対する照度制限方法において、前記投影手段による画像の投影時にカメラのボディの温度を検出し、前記検出した温度が第１の所定値以上の場合に、前記ブレ検出手段を駆動してカメラのブレを検出し、前記検出したブレが所定値以上の場合に、前記光源の照度を制限することを特徴とする。
請求項１１に記載の発明は、請求項１０に記載の照度制限方法において、前記検出した温度が前記第１の所定値よりも大きい第２の所定値以上の場合に、前記光源の駆動を停止することを特徴とする。
【発明の効果】
【０００５】
本発明によれば、画像の投影時に、所定時間ごとに検出されたブレが所定値以上の場合には、光源の照度を制限できる。
【発明を実施するための最良の形態】
【０００６】
−第１の実施の形態−
図面を参照しながら、本発明の第１の実施の形態によるプロジェクタ付き電子カメラを説明する。図１（ａ）に示す電子カメラ１のボディ１０には、撮影レンズ１０１、閃光窓１０２、プロジェクタ投影窓１０３、レリーズボタン１０４、プロジェクタボタン７１、およびメインスイッチ１０５が設けられている。プロジェクタボタン７１は、後述するカメラモードと投影モードとの間で電子カメラ１の動作モードを切替えるための操作部材である。なお、図の破線で囲った領域は、ユーザが電子カメラ１の使用時に保持するグリップＧを示す。図１（ｂ）に示すボディ１０の背面には、操作部材１０６および液晶表示器１０７が設けられている。また、電子カメラ１のボディ１０内部には、図１（ｃ）に示すように、温度センサ９０およびブレ検出センサ８０Ｘ、８０Ｙが設けられている。
【０００７】
電子カメラ１には、後述するプロジェクタ装置（プロジェクタ部）３０（図２）が搭載されている。この電子カメラ１は正面に配設されるスクリーンなどに向けて、画像などの情報をプロジェクタ投影窓１０３から投影する。そのため、電子カメラ１は、プロジェクタ装置３０により画像を投影するための投影モードと、画像を撮影するためのカメラモードとを動作モードとして有する。
【０００８】
カメラモードは撮影モードと再生モードとを有する。撮影モードでは、電子カメラ１は被写体像を撮影し、撮影した画像データをメモリカードなどで構成されるメモリカードに撮影画像ファイルとして保存する。再生モードでは、電子カメラ１は撮影済みの画像データを記録媒体（たとえば、メモリカードや内部メモリ）から読み出すなどして、画像データによる再生画像を液晶表示器１０７に再生表示する。撮影開始指示は、レリーズボタン１０４の押下操作に応じて出力される操作信号が対応する。
【０００９】
投影モードでは、電子カメラ１は、撮影済みの画像データを記録媒体（たとえば、メモリカードや内部メモリ）から読出すなどして、画像データによる再生画像を投影像として生成し、プロジェクタ部３０によってプロジェクタ投影窓１０３から投影する。なお、投影モードが設定されたとき、プロジェクタ部３０は、記録媒体以外から読出された画像データや、電子カメラ１の外部から供給される画像データによる再生画像を投影することも可能に構成されている。
【００１０】
図２のブロック図に示すように、電子カメラ１は、操作部材１０６、プロジェクタ部３０、撮像部４０、制御回路５０、メモリ６０、プロジェクタボタン７１、ブレ検出センサ８０Ｘおよび８０Ｙ、温度センサ９０、半押しスイッチ１０４ａ、全押しスイッチ１０４ｂ、メインスイッチ１０５、液晶表示器１０７、およびメモリカードインタフェース１０９を有する。
【００１１】
制御回路５０は、制御プログラムに基づいて、電子カメラ１を構成する各部から入力される信号を用いて所定の演算を行なうなどして、電子カメラ１の各部に対する制御信号を送出して、撮影動作および投影動作の制御を行なう。なお、制御プログラムは制御回路５０内の不図示の不揮発性メモリに格納されている。
【００１２】
メモリ６０は制御回路５０の作業用メモリとして使用される。半押しスイッチ１０４ａおよび全押しスイッチ１０４ｂは、それぞれレリーズボタン１０４の押下操作に連動してオン信号もしくはオフ信号を制御回路５０へ出力する。
【００１３】
ブレ検出センサ８０Ｘ、８０Ｙは、たとえばジャイロセンサなどで構成され、撮影時もしくは投影時にボディ１０に発生するブレをピッチングとヨーイングに分解して検出する。ブレ検出センサ８０Ｘ、８０Ｙで検出されたピッチングとヨーイングを表すブレ量信号を制御回路５０に出力する。温度センサ９０は、ボディ１０のグリップＧ近傍に配置され（図１（ｃ））、ボディ１０のグリップＧ近傍の温度を常時測定し、測定結果である温度信号を図示しないＡ／Ｄ変換回路を介して制御回路５０へ出力する。なお、本実施の形態においては、電子カメラ１は、たとえば４０℃以下の環境で使用された場合に、動作が保証されているものとする。
【００１４】
メモリカードインタフェース１０９は、メモリカード１１０が着脱可能なインタフェースである。メモリカードインタフェース１０９は、制御回路５０の制御に基づいて、画像ファイルをメモリカード１１０に書き込んだり、メモリカード１１０に記録されている画像ファイルを読み出すインタフェース回路である。メモリカード１１０はコンパクトフラッシュ（登録商標）やＳＤカードなどの半導体メモリカードである。
【００１５】
−撮像部−
撮像部４０は、撮影レンズ４０１（図１において１０１）、撮像素子（イメージセンサ）４０２、レンズ駆動回路４０３、および撮影制御回路４０４を含む。イメージセンサ４０２としては、ＣＣＤやＣＭＯＳ撮像素子などが用いられる。撮影制御回路４０４は、制御回路５０からの指令によりイメージセンサ４０２およびレンズ駆動回路４０３を駆動制御するとともに、イメージセンサ４０２から出力される撮像信号（蓄積電荷信号）に対して所定の画像処理を行なう。画像処理は、ホワイトバランス処理やガンマ処理などである。
【００１６】
撮影レンズ４０１は、イメージセンサ４０２の撮像面上に被写体像を結像させる。撮影制御回路４０４は、撮影開始指示に応じてイメージセンサ４０２に撮像を開始させ、撮像終了後にイメージセンサ４０２から蓄積電荷信号を読出し、上記画像処理を施した上で画像データとして制御回路５０へ送出する。
【００１７】
レンズ駆動回路４０３は、撮影制御回路４０４から出力されるズーム調節信号に基づいて、撮影レンズ４０１を構成するズームレンズ（不図示）を光軸方向（テレ側もしくはワイド側）へ進退駆動する。
【００１８】
−プロジェクタ部−
図２、図３を参照して、プロジェクタ部３０について説明する。図３（ａ）は電子カメラ１を正面から見た断面図であり、図３（ｂ）は電子カメラ１を左側面から見た断面図である。図２のブロック図、および図３のプロジェクタ部３０の構成図に示すように、プロジェクタ部３０は、レンズ駆動回路３００、投影光学系３０１、液晶パネル３０２、ＬＥＤ光源３０３、集光光学系３０４、ＰＢＳ（偏光ビームスプリッタ）ブロック３０５、投影制御回路３０６、および屈曲プリズム３０７を備える。液晶パネル３０２は、投影制御回路３０６からの駆動信号に応じて光像を生成する。なお、本実施の形態では、液晶パネル３０２として図３に示すように反射型の液晶パネルを使用する。投影制御回路３０６は、制御回路５０から出力される投影指令に応じてＬＥＤ光源３０３および液晶パネル３０２へ制御信号を送出する。
【００１９】
ＬＥＤ光源３０３は、白色光を射出する白色ＬＥＤであり、投影制御回路３０６を介して入力した制御回路５０の投影指令に基づいて、図３に示す光軸Ｌ１に沿って白色光を射出する。なお、ＬＥＤ光源３０３には、図示しない放熱ブロック(金属ブロック)が密着しており、この放熱ブロックの一部をボディ１０に面接触するように固着させることで、ＬＥＤ光源３０３の発光により発生する熱をボディ１０の外部に逃がすことができる。
【００２０】
集光光学系３０４は、ＬＥＤ光源３０３から射出されて入射した白色光をほぼ平行光にしてＰＢＳブロック３０５へ向けて射出する光学系である。ＰＢＳブロック３０５は、集光光学系３０４から射出される照明光の光軸Ｌ１に対して４５度の角度をなす偏光分離部３０５ａを有する偏光ビームスプリッタである。ＰＢＳブロック３０５の面３０５ｂには、たとえば、黒色処理などの無反射処理が施される。ＰＢＳブロック３０５の右側面には反射型液晶素子（ＬＣＯＳ）によって構成される液晶パネル３０２が配設される。液晶パネル３０２は、赤、緑、青のフィルターが形成された複数の画素から構成され、カラーの画像を生成するように投影制御回路３０６により駆動される。
【００２１】
ＰＢＳブロック３０５へ入射された偏光光束（たとえばＰ偏光）は、ＰＢＳブロック３０５を透過して液晶パネル３０２を照明する。液晶パネル３０２の液晶層を透過する光は、液晶パネル３０２へ入射されると液晶層を右向きに進行し、液晶パネル３０２の反射面で反射された後、液晶層を左向きに進行して液晶パネル３０２から射出され、ＰＢＳブロック３０５へ再度入射される。電圧が印加された液晶層は位相板として機能するので、ＰＢＳブロック３０５へ再度入射される光は、Ｓ偏光である変調光とＰ偏光である非変調光との混合光である。ＰＢＳブロック３０５は、再入射された光束のうちＳ偏光成分である変調光のみを偏光分離部３０５ａで光軸Ｌ２に沿った方向へ反射（折り曲げる）し、上方の投影光学系３０１へ向けて射出する。
【００２２】
投影光学系３０１は、液晶パネル３０２から射出される光像を屈曲プリズム３０７へ導く。レンズ駆動回路３００は、投影制御回路３０６から出力されるフォーカス調節信号に基づいて、投影光学系３０１を構成するフォーカスレンズ（不図示）を光軸Ｌ２方向へ進退駆動する。屈曲プリズム３０７は投影光学系３０１から入射した投影光を光軸Ｌ３の方向へ偏向してプロジェクタ投影窓１０３から投影画像をボディ１０の正面に向けて投影する。
【００２３】
本実施の形態は、プロジェクタ部３０を使用する場合の動作に特徴を有するので、プロジェクタ部３０による投影を中心に説明する。プロジェクタボタン７１が押下操作されると、制御回路５０は、プロジェクタ部３０に上述したようにして画像を投影させる。投影中にプロジェクタボタン７１が押下操作されると、制御回路５０は、プロジェクタ部３０に投影を停止させる。
【００２４】
プロジェクタ部３０により画像が投影されている場合、制御回路５０は、たとえば５秒ごとに１回、温度センサ９０で検出したボディ１０のグリップＧ近傍の温度を示す温度情報を取得する。制御回路５０は、グリップＧ近傍の温度が所定値（たとえば４０℃）以上の場合に、数十マイクロ秒（たとえば５０マイクロ秒）の間、ブレ検出センサ８０Ｘ、８０Ｙの電源をオンして、ブレ検出センサ８０Ｘ、８０Ｙに対してブレ検出を指示する指示信号を出力する。指示信号を入力したブレ検出センサ８０Ｘ、８０Ｙは、電子カメラ１のブレ量を検出し、ブレ量信号として制御回路５０へ出力する。検出されたブレ量が所定値以上の場合、制御回路５０は、ユーザが電子カメラ１を持ったまま（手持ち）で電子カメラ１に画像を投影させていると判定する。なお、上記の所定値は、撮影モードにおいて手ブレを検出する場合の値よりも低い値とする。
【００２５】
制御回路５０は、手持ちにより画像が投影されていると判定すると、ＬＥＤ光源３０３の照度に制限を加えて、発熱を抑制する。この場合、制御回路５０は、投影制御回路３０６を介して、ＬＥＤ光源３０３の駆動電流値を、定格電流値のたとえば５０パーセントに設定する。なお、ＰＷＭ方式によりデューティー比を低く設定するようにしてもよい。
【００２６】
手持ちにより画像が投影されていない場合、すなわち机上等に載置された状態で画像が投影されている場合は、制御回路５０は、ＬＥＤ光源３０３の照度に制限を加えない。温度センサ９０で検出した温度が、たとえば５０℃以上の場合には、制御回路５０は、手持ちもしくは載置による画像の投影に関わらず、ＬＥＤ光源３０３の駆動を停止させる。
【００２７】
図４のフローチャートを参照して、第１の実施の形態による電子カメラ１の動作を説明する。図４のフローチャートに示す各処理は、制御回路５０によりプログラムを実行して行われる。このプログラムは図示しないメモリに格納されており、投影モードがオンされると起動される。
【００２８】
ステップＳ１１においては、タイマを０にリセットしてステップＳ１２へ進む。このタイマは、ブレ検出センサ８０Ｘ、８０Ｙに対して、ブレ検出を指示する指示信号を出力するタイミングを計測する。ステップＳ１２においては、タイマによる時間計測を開始してステップＳ１３へ進む。
【００２９】
ステップＳ１３においては、タイマにより時間計測を開始してから５秒が経過したか否かを判定する。５秒経過した場合は、ステップＳ１３が肯定判定されて、タイマをリセットしてステップＳ１４へ進む。５秒経過していない場合は、ステップＳ１３が否定判定されて、当該判定処理を繰り返す。
【００３０】
ステップＳ１４においては、温度センサ９０から入力した温度信号を用いて、グリップＧ近傍の温度が４０℃以上か否かを判定する。４０℃以上の場合は、ステップＳ１４が肯定判定されてステップＳ１５へ進む。４０℃未満の場合は、ステップＳ１４が否定判定されてステップＳ１１へ戻る。
【００３１】
ステップＳ１５においては、温度センサ９０から入力した温度信号を用いて、グリップＧ近傍の温度が５０℃以上か否かを判定する。５０℃以上の場合は、ステップＳ１５が肯定判定されてステップＳ１６へ進む。ステップＳ１６においては、投影制御回路３０６を介してＬＥＤ光源３０３の駆動を終了させて処理を終了する。
【００３２】
グリップＧ近傍の温度が５０℃未満の場合は、ステップＳ１５が否定判定されてステップＳ１７へ進む。ステップＳ１７においては、ブレ検出センサ８０Ｘ、８０Ｙの電源をオンし、ブレ検出センサ８０Ｘ、８０Ｙに対して指示信号を出力して、ブレ検出を開始させる。そして、ステップＳ１３でリセットしたタイマを再度起動してステップＳ１８へ進む。ステップＳ１８においては、ステップＳ１７でタイマによる時間計測を開始してから数十マイクロ秒（たとえば５０マイクロ秒）が経過したか否かを判定する。数十マイクロ秒経過した場合は、ステップＳ１８が肯定判定されてステップＳ１９へ進む。数十マイクロ秒経過していない場合は、ステップＳ１８が否定判定されて当該判定処理を繰り返す。
【００３３】
ステップＳ１９においては、電子カメラ１が手持ちか否かを判定する。ステップＳ１７で検出したブレ量信号が所定値以上、すなわち電子カメラ１が手持ちの状態で画像が投影されている場合、ステップＳ１９が肯定判定されてステップＳ２０へ進む。ブレ量信号が所定値未満、すなわち電子カメラ１が載置された状態で画像が投影されている場合、ステップＳ１９が否定判定されてステップＳ２２へ戻る。
【００３４】
ステップＳ２０においては、投影制御回路３０６を介してＬＥＤ光源３０３の駆動電流を定格電流の５０パーセントに変更して照度制限を加えてステップＳ２１へ進む。ステップＳ２１においては、投影モードがオフされたか否かを判定する。プロジェクタボタン７１が押下操作された場合は、ステップＳ２１が肯定判定されて処理を終了する。プロジェクタボタン７１が押下操作されない場合は、ステップＳ２１が否定判定されてステップＳ１１へ戻る。
【００３５】
ステップＳ１９が否定判定されるとステップＳ２２へ進み、照度制限が加えられているか否かを判定する。照度制限が加えられ、定格電流の５０パーセントでＬＥＤ光源３０３が駆動している場合は、ステップＳ２２が肯定判定されてステップＳ２３へ進む。照度制限が加えられていない場合は、ステップＳ２２が否定判定されてステップＳ１１へ戻る。ステップＳ２３においては、投影制御回路３０６を介してＬＥＤ光源３０３を定格電流で駆動させることにより照度制限を解除してステップＳ２１へ進む。
【００３６】
以上で説明した第１の実施の形態の電子カメラ１によると、以下の作用効果が得られる。
（１）制御回路５０は、５秒おきに数十マイクロ秒（たとえば５０マイクロ秒）間ブレ検出センサ８０Ｘ、８０Ｙを駆動させてボディ１０のブレ量を検出し、ブレ量が所定値以上の場合に、ＬＥＤ光源３０３に対して照度制限を加えるようにした。したがって、ＬＥＤ光源３０３の発光に伴い発生する熱量は、熱伝導部材を介してボディ１０に伝わるので、ＬＥＤ光源３０３の照度を制限することにより、図５に示すようにボディ１０のグリップＧ近傍の温度上昇が抑制できる。
【００３７】
（２）制御回路５０は、温度センサ９０で検出したグリップＧ近傍の温度が４０℃以上かつ５０℃未満の場合に、５秒おきに数十マイクロ秒の間ブレ検出センサ８０Ｘ、８０Ｙを駆動させるようにした。したがって、検出した温度に基づいて、ブレ検出センサ８０Ｘ、８０Ｙの駆動を制限するので、常時ブレ検出センサ８０Ｘ、８０Ｙを駆動する場合に比べて消費電力を抑制することができる。
【００３８】
（３）制御回路５０は、温度センサ９０で検出したグリップＧ近傍の温度が４０℃以上の場合に、ブレ検出センサ８０Ｘ、８０Ｙの検出したブレ量信号に基づいて、電子カメラ１が手持ちされていると判定すると、ＬＥＤ光源３０３の照度を制限するようにした。その結果、ユーザが電子カメラ１を手持ち状態で画像を投影している際に、グリップＧ近傍が熱くなり、電子カメラ１を保持できなくなるという事態を防ぐことができる。
【００３９】
（４）制御回路５０は、グリップＧ近傍の温度が５０℃以上の場合には、電子カメラ１が手持ちされているか載置されているかによらずＬＥＤ光源３０３の駆動を終了させるようにした。したがって、ボディ１０の内部温度の上昇により、電子カメラ１を構成する各種回路等に悪影響を及ぼすことが防げる。
【００４０】
上述した第１の実施の形態の電子カメラ１を、次のように変形できる。
（１）制御回路５０は、ブレ検出センサ８０Ｘ、８０Ｙが検出したブレに基づいて、プロジェクタ部３０による投影画像に対して、像ブレを抑制する処理（防振処理）を施してもよい。この場合、制御回路５０は、ブレ検出センサ８０Ｘ、８０Ｙが検出したブレをキャンセルするように、投影制御回路３０６により液晶パネル３０２上に生成される像の位置をずらすことにより、見かけ上の投影像のブレを抑える。
【００４１】
（２）電子カメラ１が温度センサ９０を備えない場合であっても本発明を適用できる。この場合、制御回路５０は、たとえば電子カメラ１の起動から所定時間（たとえば１０分）が経過したことを判定すると、ブレ検出センサ８０Ｘ、８０Ｙの駆動を開始させればよい。
【００４２】
−第２の実施の形態−
本発明の第２の実施の形態による電子カメラについて説明する。以下の説明では、第１の実施の形態と同じ構成要素には同じ符号を付して相違点を主に説明する。特に説明しない点については、第１の実施の形態と同じである。本実施の形態では、ブレ検出センサで検出したブレ量信号に基づいて、プロジェクタ部からの投影画像に対して像ブレ補正処理（防振処理）を施す点で第１の実施の形態と異なる。
【００４３】
制御回路５０は、プロジェクタ部３０による投影画像に対して、防振処理を施す。防振処理は、電子カメラ１のブレに起因するプロジェクタ部３０による投影画像の像ブレを抑制する処理である。具体的には、制御回路５０は、ブレ検出センサ８０Ｘ、８０Ｙが検出したブレをキャンセルするように、投影制御回路３０６により液晶パネル３０２上に生成される像の位置をずらすことにより、見かけ上の投影像のブレを抑える。
【００４４】
この場合、制御回路５０は、たとえば５秒ごとに１回、数十マイクロ秒（たとえば５０マイクロ秒）の間、ブレ検出センサ８０Ｘ、８０Ｙの電源をオンし、ブレ検出センサ８０Ｘ、８０Ｙに対してブレ検出を指示する指示信号を出力する。指示信号を入力したブレ検出センサ８０Ｘ、８０Ｙは、電子カメラ１のブレ量を検出し、ブレ量信号として制御回路５０へ出力する。検出されたブレ量が所定値以上の場合、制御回路５０は、ユーザが電子カメラ１を持ったまま（手持ち）で電子カメラ１に画像を投影させていると判定する。なお、上記の所定値は、撮影モードにおいて手ブレを検出する場合の値よりも低い値とする。
【００４５】
制御回路５０は、温度センサ９０により検出されたグリップＧ近傍の温度が所定値（たとえば４０℃）以上の場合、ブレ検出センサ８０Ｘ、８０Ｙから入力したブレ量信号に基づいて、手持ちにより画像が投影されているか否かを判定する。電子カメラ１が手持ちされた状態で画像が投影されていると判定した場合は、制御回路５０は第１の実施の形態と同様にしてＬＥＤ光源３０３の照度に制限を加えて、発熱を抑制する。なお、検出した温度が、たとえば５０℃以上の場合には、制御回路５０は、手持ちもしくは載置による画像の投影に関わらず、ＬＥＤ光源３０３の駆動を停止させる。
【００４６】
図６のフローチャートを参照して、第２の実施の形態による電子カメラ１の動作を説明する。図６のフローチャートに示す各処理は、制御回路５０によりプログラムを実行して行われる。このプログラムは図示しないメモリに格納されており、投影モードがオンされると起動される。
【００４７】
ステップＳ１０１（タイマリセット）からステップＳ１０３（５秒経過判定）までの各処理は、図４のステップＳ１１（タイマリセット）からステップＳ１３（５秒経過判定）までの各処理と同様である。ステップＳ１０４においては、ブレ検出センサ８０Ｘ、８０Ｙの電源をオンし、ブレ検出センサ８０Ｘ、８０Ｙに対して指示信号を出力して、ブレ検出を開始させる。そして、ステップＳ１０３でリセットしたタイマを再度起動してステップＳ１０５へ進む。ステップＳ１０５においては、ステップＳ１０４でタイマによる時間計測を開始してから数十マイクロ秒（たとえば５０マイクロ秒）が経過したか否かを判定する。数十マイクロ秒経過した場合は、ステップＳ１０５が肯定判定されてステップＳ１０６へ進む。数十マイクロ秒経過していない場合は、ステップＳ１０６が否定判定されて当該判定処理を繰り返す。
【００４８】
ステップＳ１０６（温度が５０℃以上の判定）およびステップＳ１０７（照明終了処理）は、図４のステップＳ１５（温度が５０℃以上の判定）およびステップＳ１６（照明終了処理）と同様である。
【００４９】
グリップＧの近傍の温度が５０℃未満の場合は、ステップＳ１０６が否定判定されてステップＳ１０８へ進む。ステップＳ１０８においては、電子カメラ１が手持ちか否かを判定する。ステップＳ１０４で検出したブレ量信号が所定値以上の場合、すなわち電子カメラ１が手持ちの状態で画像が投影されている場合は、ステップＳ１０８が肯定判定されてステップＳ１０９へ進む。ブレ量信号が所定値未満の場合、すなわち電子カメラ１が載置された状態で画像が投影されている場合は、ステップＳ１０８が否定判定されてステップＳ１０１へ戻る。
【００５０】
ステップＳ１０９においては、温度センサ９０から入力した温度信号を用いて、グリップＧ近傍の温度が４０℃以上か否かを判定する。４０℃以上の場合、ステップＳ１０９が肯定判定されてステップＳ１１０へ進む。グリップＧ近傍の温度が４０℃未満の場合は、ステップＳ１０９が否定判定されてステップＳ１１２へ進む。ステップＳ１１０（照度制限）からステップＳ１１３（照度制限解除）までの各処理は、図４のステップＳ２０（照度制限）からステップＳ２３（照度制限解除）までの各処理と同様である。
【００５１】
以上で説明した第２の実施の形態の電子カメラ１によれば、第１の実施の形態の電子カメラ１で得られた（１）、（３）および（４）の作用効果に加えて、次の作用効果が得られる。
制御回路５０は、５秒おきに数十マイクロ秒の間ブレ検出センサ８０Ｘ、８０Ｙを駆動させて検出した電子カメラ１のブレに基づいて、プロジェクタ部３０が投影する画像の像ブレを補正するようにした。したがって、常時ブレ検出センサ８０Ｘ、８０Ｙを駆動させる場合に比べて、消費電力を抑制できる。
【００５２】
上述した第１および第２の実施の形態の電子カメラ１を、次のように変形できる。
（１）温度センサ９０をグリップＧ近傍に配置するものに代えて、ＬＥＤ光源３０３の近傍に配置してもよい。この場合、制御回路５０は、温度センサ９０から入力した温度信号に基づいて、ＬＥＤ光源３０３近傍の温度とグリップＧ近傍の温度とを対応付けたテーブルを参照して、グリップＧ近傍の温度を推定すればよい。なお、上記のテーブルは予め制御回路５０内の所定の記録領域に記録されているものとする。
【００５３】
（２）ＬＥＤ光源３０３の照度制限のオンオフを設定可能にしてもよい。この場合、ユーザは、液晶表示器１０７に表示されるメニュー画面から照度制限のオンオフを設定することができる。なお、照度制限がオフに設定された場合であっても、制御回路５０は、グリップＧ近傍の温度が５０℃以上の場合には、ＬＥＤ光源３０３の駆動を終了させる。
【００５４】
−第３の実施の形態−
本発明の第３の実施の形態による電子カメラについて説明する。以下の説明では、第１の実施の形態と同じ構成要素には同じ符号を付して相違点を主に説明する。特に説明しない点については、第１の実施の形態と同じである。本実施の形態では、温度センサを備えない点が第１の実施の形態と異なる。
【００５５】
第３の実施の形態においては、図７のブロック図に示すように、電子カメラ１は、温度センサを備えずに温度に関する情報を取得する。制御回路５０は、ＬＥＤ光源３０３への駆動電流とＬＥＤ光源３０３の駆動時間とを検出し、ＬＥＤ光源３０３の駆動電流、ＬＥＤ光源３０３の駆動時間およびグリップＧ近傍の温度が対応付けされたテーブルを参照してグリップＧ近傍の温度を推定する。このテーブルは、実験等により計測されたデータを用いて作成され、予め制御回路５０内の所定の記録領域に記録されているものとする。
【００５６】
制御回路５０は、上記のようにして推定したグリップＧ近傍の温度が所定値（たとえば４０℃）以上の場合、ブレ検出センサ８０Ｘ、８０Ｙから入力したブレ量信号に基づいて、手持ちにより画像が投影されているか否かを判定する。電子カメラ１が手持ちされた状態で画像が投影されていると判定した場合は、制御回路５０は第１の実施の形態と同様にしてＬＥＤ光源３０３の照度に制限を加えて、発熱を抑制する。なお、推定した温度が、たとえば５０℃以上の場合には、制御回路５０は、手持ちもしくは載置による画像の投影に関わらず、ＬＥＤ光源３０３の駆動を停止させる。
【００５７】
図８のフローチャートを参照して、第３の実施の形態による電子カメラ１の動作を説明する。図８のフローチャートに示す各処理は、制御回路５０によりプログラムを実行して行われる。このプログラムは図示しないメモリに格納されており、投影モードがオンされると起動される。
【００５８】
ステップＳ２０１（タイマリセット）からステップＳ２０５（数十マイクロ秒経過判定）までの各処理は、図６のステップＳ１０１（タイマリセット）からステップＳ１０５（数十マイクロ秒経過判定）までの各処理と同様である。ステップＳ２０６においては、推定したグリップＧ近傍の温度が５０℃以上か否かを判定する。５０℃以上の場合は、ステップＳ２０６が肯定判定されてステップＳ２０７へ進む。５０℃未満の場合は、ステップＳ２０６が否定判定されてステップＳ２０８へ進む。
【００５９】
ステップＳ２０７（照明終了）およびステップＳ２０８（手持ち判定）の各処理は、図６のステップＳ１０７（照明終了）およびステップＳ１０８(手持ち判定)の各処理と同様である。ステップＳ２０９においては、推定したグリップＧ近傍の温度が４０℃以上か否かを判定する。４０℃以上の場合は、ステップＳ２０９が肯定判定されてステップＳ２１０へ進む。４０℃未満の場合は、ステップＳ２０９が否定判定されてステップＳ２１２へ進む。ステップＳ２１０（照度制限）からステップＳ２１３（照度制限解除）までの各処理は、図６のステップＳ１１０（照度制限）からステップＳ１１３（照度制限解除）までの各処理と同様である。
【００６０】
以上で説明した第３の実施の形態の電子カメラ１によれば、第１の実施の形態の電子カメラ１により得られた作用効果（１）、（２）および（３）に加えて、以下の作用効果が得られる。
制御回路５０は、実験等により求めたＬＥＤ光源３０３の駆動電流、駆動時間などのデータに基づいて、グリップＧ近傍の温度を推定することにより温度情報を取得するようにした。したがって、温度センサ９０を備えていない場合であっても、温度情報を取得して第１の実施の形態と同様にＬＥＤ光源３０３の照度を制限できるので、温度センサ９０の設置に要するコストを低減できる。
【００６１】
−第４の実施の形態−
本発明の第４の実施の形態による電子カメラについて説明する。以下の説明では、第１の実施の形態と同じ構成要素には同じ符号を付して相違点を主に説明する。特に説明しない点については、第１の実施の形態と同じである。本実施の形態では、投影モードにおいて、画像の投影に関する各種モードをユーザが設定できる点で、第１の実施の形態と異なる。
【００６２】
制御回路５０は、画像の投影に関して以下のモード制御を行う。
１．手持ちモード
手持ちモードは、ユーザが電子カメラ１を持ったままで電子カメラ１に画像を投影させることを想定したモードである。手持ちモードに設定されると、制御回路５０は、防振処理をオン設定する。
【００６３】
１−１．防振処理オン
防振処理は、電子カメラ１のブレに起因するプロジェクタ部３０による投影画像の像ブレを抑制する処理である。具体的には、制御回路５０は、ブレ検出センサ８０Ｘ、８０Ｙが検出したブレをキャンセルするように、投影制御回路３０６により液晶パネル３０２上に生成される像の位置をずらすことにより、見かけ上の投影像のブレを抑える。制御回路５０は、手持ちモードにおいて防振処理を自動的にオンする。
【００６４】
この場合、制御回路５０は、たとえば５秒ごとに１回、１秒の間、ブレ検出センサ８０Ｘ、８０Ｙに対して、ブレ検出を指示する指示信号を出力する。指示信号を入力したブレ検出センサ８０Ｘ、８０Ｙは、電子カメラ１のブレを検出し、ブレ量信号として制御回路５０へ出力する。
【００６５】
２．載置モード
載置モードは、電子カメラ１を、たとえば机上等に載置した状態で電子カメラ１に画像を投影させることを想定したモードである。載置モードに設定されると、制御回路５０は、防振処理をオフ設定する。
【００６６】
２−１．防振処理オフ
制御回路５０は、載置モードにおいては、手持ちモードにおいて説明した防振処理を自動的にオフする。
【００６７】
上述した各モードは、液晶表示器１０７に表示されるメニュー画面上から操作部材２１の操作により選択可能に構成されている。制御回路５０は、手持ちモードが設定されている場合と、載置モードが設定されている場合とでＬＥＤ光源３０３の照度制限を切り替える。以下、それぞれのモードにおける照度制限について説明する。
【００６８】
（手持ちモード）
制御回路５０は、温度センサ９０で検出されたグリップＧ近傍の温度が４０℃以上の場合に、ブレ検出センサ８０Ｘ、８０Ｙから入力したブレ量信号が所定値以上か否かを判定する。ブレ量信号が所定値以上の場合、制御回路５０は、電子カメラ１が手持ちされた状態で画像が投影されていると判定し、制御回路５０は第１の実施の形態と同様にしてＬＥＤ光源３０３の照度に制限を加えて、発熱を抑制する。温度センサ９０で検出した温度が、たとえば５０℃以上の場合には、制御回路５０は、ＬＥＤ光源３０３の駆動を停止させる。
【００６９】
（載置モード）
制御回路５０は、温度センサ９０で検出した温度が、４０℃以上の場合では、手持ちモードの時に行ったＬＥＤ光源３０３の照度制限を行わない。そして、制御回路５０は、温度センサ９０で検出した温度が、たとえば５０℃以上の場合に、ＬＥＤ光源３０３の駆動を停止させる。
【００７０】
図９のフローチャートを参照して、第３の実施の形態による電子カメラ１の動作を説明する。図９のフローチャートに示す各処理は、制御回路５０によりプログラムを実行して行われる。このプログラムは図示しないメモリに格納されており、投影モードがオンされると起動される。
【００７１】
ステップＳ３０１においては、載置モードが設定されているか否かを判定する。載置モードが設定されている場合は、ステップＳ３０１が肯定判定されてステップＳ３０２へ進む。手持ちモードが設定されている場合は、ステップＳ３０１が否定判定されてステップＳ３０４へ進む。
【００７２】
ステップＳ３０２（温度が５０℃以上を判定）およびステップＳ３０３（照明終了）の各処理は、図６のステップＳ１０６（温度が５０℃以上を判定）およびステップＳ１０７（照明終了）と同様である。なお、ステップＳ３０２が否定判定された場合は、当該判定処理を繰り返す。
【００７３】
ステップＳ３０４（タイマリセット）からステップＳ３１６（照度制限解除）までの各処理は、図６のステップＳ１０１（タイマリセット）からステップＳ１１３（照度制限解除）までの各処理と同様である。
【００７４】
以上で説明した第４の実施の形態の電子カメラ１によれば、第１の実施の形態の電子カメラ１により得られた（１）、（２）および（３）の作用効果に加えて、次の作用効果が得られる。
制御回路５０は、手持ちモードの場合、ＬＥＤ光源３０３に照度制限を加え、載置モードの場合には、ＬＥＤ光源３０３に照度制限を加えないようにした。すなわち、ユーザは、手持ちモードと載置モードとの間で設定を切り替えることによりＬＥＤ光源３０３の照度制限のオンオフを切り替えることができる。その結果、ユーザが電子カメラ１を手持ちした状態で画像を投影中に、投影画像の照度を下げたくないという場合に対応することができる。
【００７５】
以上で説明した第１〜第４の実施の形態の電子カメラ１を、以下のように変形できる。
（１）プロジェクタ部３０のＬＥＤ光源３０３からの照明光を撮影モードにおいても使用可能としてもよい。この場合、制御回路５０は、たとえば、半押しスイッチ１０４ａからオン信号を入力して焦点調節を行う際に、投影制御回路３０６を介してＬＥＤ光源３０３に対して発光を指示する。その結果、ＬＥＤ光源３０３の照明光をＡＦ補助光として使用することができる。なお、この場合、ブレ検出センサ８０Ｘ、８０Ｙから入力したブレ量信号が所定値を超える場合であっても、制御回路５０は、ＬＥＤ光源３０３に対する照度制限を禁止する。
【００７６】
（２）撮影レンズ１０１は、電子カメラ１の非使用時にはボディ１０に格納される沈胴式の鏡筒に設けられてもよい。
【００７７】
また、本発明の特徴を損なわない限り、本発明は上記実施の形態に限定されるものではなく、本発明の技術的思想の範囲内で考えられるその他の形態についても、本発明の範囲内に含まれる。
【図面の簡単な説明】
【００７８】
【図１】本発明の実施の形態による電子カメラの外観図
【図２】第１の実施の形態による電子カメラの内部構成を説明するブロック図
【図３】実施の形態による電子カメラのプロジェクタ部の構成図
【図４】第１の実施の形態による電子カメラの照度制限処理を説明するフローチャート
【図５】照度制限によるボディ温度の推移を説明する図
【図６】第２の実施の形態による電子カメラの焦土制限処理を説明するフローチャート
【図７】第３の実施の形態による電子カメラの内部構成を説明するブロック図
【図８】第３の実施の形態による電子カメラの照度制限処理を説明するフローチャート
【図９】第４の実施の形態による電子カメラの照度制限処理を説明するフローチャート
【符号の説明】
【００７９】
３０・・・プロジェクタ部  ４０・・・撮像部  ５０・・・制御回路
８０Ｘ、８０Ｙ・・・ブレ検出センサ  ９０・・・温度センサ
３０３・・・ＬＥＤ光源
【図１】
0004983647.tif 000002
【図２】
0004983647.tif 000003
【図３】
0004983647.tif 000004
【図４】
0004983647.tif 000005
【図５】
0004983647.tif 000006
【図６】
0004983647.tif 000007
【図７】
0004983647.tif 000008
【図８】
0004983647.tif 000009
【図９】
0004983647.tif 000010